(57)【要約】    【課題】基本姿勢で使用でき、かつ、倒立姿勢にしても使用できる電気掃除機用吸込具において、シャッターの開閉動作と連動させ、清掃時には回転ブラシを回転させ、かつ、吸込具が仰向けになった被清掃時等には回転ブラシの回転を停止させるようにした、新規な安全機構が必要であった。    【解決手段】シャッター１１に、シャッター１１が開いたときに連動機構１８に作用して、状態検知突起１６を非突出位置にさせ、マイクロスイッチ１５をオンにさせる作用部材１４を設ける。また、連動機構１８には、作用部材１４の作用力を受ける振子３０を設ける。振子３０によって、シャッター１１の開閉と、状態検知突起１６の変位とを連動させることができ、しかも、ロック機構１７を有効に機能させることができる。【選択図】            図４
2007061197.tif 000002
【特許請求の範囲】
【請求項１】
底面に主吸込口が形成され、前面に副吸込口が形成され、主吸込口を被清掃面に対向させた基本姿勢、または、副吸込口を被清掃面に対向させた倒立姿勢にして使用される本体と、
前記副吸込口を開閉可能に覆うシャッターと、
前記主吸込口および副吸込口に臨み、回転可能に設けられた回転ブラシと、
前記回転ブラシを回転させるためのモータと、
前記モータのオン・オフを切り換えるスイッチと、
前記本体の底面に備えられ、底面から突出した突出位置と、底面から突出しない非突出位置とに変位する状態検知突起と、
前記状態検知突起の位置変化に連動し、状態検知突起が突出位置では前記スイッチをオフにし、非突出位置では前記スイッチをオンにする連動機構と、
前記状態検知突起の位置変化に連動し、状態検知突起が突出位置では規制をし得る状態になり、非突出位置では規制をし得ない状態になるロック機構であって、前記本体の底面が上を向いている間は、前記状態検知突起が非突出位置にならないように規制するロック機構と、
前記シャッターに設けられ、シャッターが開いたときに前記連動機構に作用して、前記状態検知突起を非突出位置にさせ、前記スイッチをオンにさせる作用部材と、
を含むことを特徴とする電気掃除機用吸込具。
【請求項２】
前記状態検知突起、連動機構およびロック機構は、共通の支軸を備え、当該支軸を中心に連動して回動する回動部材をそれぞれ有することを特徴とする、請求項１記載の電気掃除機用吸込具。
【請求項３】
前記ロック機構は、重りとして作用する球体を含み、
前記共通の支軸を中心に回動する回動部材の回動位置によって、球体が転動して前記の規制を行うことを特徴とする、請求項２記載の電気掃除機用吸込具。
【請求項４】
前記連動機構は、揺動動作をする振子を含み、
前記作用部材は、振子に作用して揺動動作を行わせることを特徴とする、請求項１〜３のいずれかに記載の電気掃除機用吸込具。
【請求項５】
前記振子は、前記ロック機構が前記状態検知突起を非突出位置にならないように規制中は、前記作用部材の作用力を吸収する吸収構造を有することを特徴とする、請求項４記載の電気掃除機用吸込具。
【請求項６】
前記吸収構造は、前記作用部材が作用する位置に配置された弾性変位体を含むことを特徴とする、請求項５記載の電気掃除機用吸込具。
【請求項７】
前記本体は、底面側を形成するケース下部と、上面側を形成するケース上部とを含み、前記振子は、ケース下部およびケース上部によって挟持されて揺動自在に保持されていることを特徴とする、請求項４〜６のいずれかに記載の電気掃除機用吸込具。
【発明の詳細な説明】
【技術分野】
【０００１】
この発明は、電気掃除機本体に接続され、被清掃面上の塵挨を吸い込んで、電気掃除機本体側へ送るための吸込具に関する。
【背景技術】
【０００２】
電気掃除機は、一般に、電動送風機を備えた掃除機本体と、掃除機本体に後端が取り付けられ、その先端には操作部が備えられた吸込ホースと、吸込ホースの操作部に後端が接続され、その先端側には吸込具が接続される吸込パイプとを有している。ユーザは、操作部に設けられたグリップを握り、吸込パイプを介して吸込具を被清掃面に沿って前後に移動させることにより、清掃を行う。
【０００３】
吸込具には、通常、底面に主吸込口が形成されていて、主吸込口から臨むように回転ブラシが備えられている。清掃時には、回転ブラシが回転され、被清掃面の塵挨が回転ブラシで掻き上げられ、効率良く主吸込口から吸い込まれる。
ところで、吸込具の底面が被清掃面から離れ、たとえば底面が上を向いているときは、回転ブラシの回転を停止させておかなければ、ユーザが誤って回転ブラシに触れて指を挟まれたり、主吸込口上に紙や衣服が落ちると、紙や衣服が回転ブラシに巻き込まれるといった不具合がある。
【０００４】
特許文献１には、かかる不具合を防ぐために、吸込具底面に検出部を設け、吸込具底面が被清掃面から離れた場合には、検出部が突出して回転ブラシの回転を停止する構成が提案されている。この構成には、吸込具が仰向けになったときには、上を向いた吸込具底面から突出している検出部を引っ込められないように、ボールを利用したストッパ構造が備えられている。
【０００５】
特許文献１に記載の技術によれば、主吸込口が被清掃面に対向しているときにだけ、回転ブラシを回転させ、主吸込口が被清掃面から離れたり、主吸込口が上向きになったときには、回転ブラシが回転しない構造であり、安全性が確保されている。
【特許文献１】特許第３１４０２７１号公報
【発明の開示】
【発明が解決しようとする課題】
【０００６】
ところで、本願出願人は、電気掃除機用吸込具として、底面に主吸込口が形成されるとともに、前面に副吸込口が形成され、副吸込口がシャッターで開閉可能に覆われた吸込具を考案した。この吸込具では、主吸込口が被清掃面に対向した基本姿勢で吸込具を使用できるとともに、シャッターを開けて、副吸込口を開き、副吸込口が被清掃面に対向した倒立姿勢にして、吸込具を使用することもできる。この吸込具の場合、倒立姿勢にしたときは、底面が被清掃面から離れた状態となるため、特許文献１に記載のスイッチの構造をそのまま採用したのでは、倒立姿勢にしたときに回転ブラシが回転せず、倒立姿勢で吸込具を使用することができないという課題に遭遇する。
【０００７】
つまり、基本姿勢で使用でき、かつ、倒立姿勢にしても使用できる吸込具の場合、シャッターの開閉動作と連動させ、清掃時には回転ブラシを回転させ、かつ、吸込具が仰向けになった非清掃時等には回転ブラシの回転を停止させるようにした、新規な安全機構を設ける必要がある。
この発明は、このような技術的背景のもとになされたものである。
【０００８】
この発明の主たる目的は、主吸込口を被清掃面に対向させた基本姿勢、または、副吸込口を被清掃面に対向させた倒立姿勢にして使用される電気掃除機用吸込具において、清掃時には回転ブラシが回転するが、吸込具が非清掃状態になったときには、回転ブラシを確実に停止させる安全機構を備えた電気掃除機用吸込具を提供することである。
また、この発明の他の目的は、被清掃面が広い場合であっても、狭い場合であっても、それに適した状態に姿勢が切り換わる電気掃除機用吸込具であって、かつ、安全に使用できる電気掃除機用吸込具を提供することである。
【課題を解決するための手段】
【０００９】
請求項１記載の発明は、底面に主吸込口が形成され、前面に副吸込口が形成され、主吸込口を被清掃面に対向させた基本姿勢、または、副吸込口を被清掃面に対向させた倒立姿勢にして使用される本体と、前記副吸込口を開閉可能に覆うシャッターと、前記主吸込口および副吸込口に臨み、回転可能に設けられた回転ブラシと、前記回転ブラシを回転させるためのモータと、前記モータのオン・オフを切り換えるスイッチと、前記本体の底面に備えられ、底面から突出した突出位置と、底面から突出しない非突出位置とに変位する状態検知突起と、前記状態検知突起の位置変化に連動し、状態検知突起が突出位置では前記スイッチをオフにし、非突出位置では前記スイッチをオンにする連動機構と、前記状態検知突起の位置変化に連動し、状態検知突起が突出位置では規制をし得る状態になり、非突出位置では規制をし得ない状態になるロック機構であって、前記本体の底面が上を向いている間は、前記状態検知突起が非突出位置にならないように規制するロック機構と、前記シャッターに設けられ、シャッターが開いたときに前記連動機構に作用して、前記状態検知突起を非突出位置にさせ、前記スイッチをオンにさせる作用部材と、を含むことを特徴とする電気掃除機用吸込具である。
【００１０】
請求項２記載の発明は、前記状態検知突起、連動機構およびロック機構は、共通の支軸を備え、当該支軸を中心に連動して回動する回動部材をそれぞれ有することを特徴とする、請求項１記載の電気掃除機用吸込具である。
請求項３記載の発明は、前記ロック機構は、重りとして作用する球体を含み、前記共通の支軸を中心に回動する回動部材の回動位置によって、球体が転動して前記の規制を行うことを特徴とする、請求項２記載の電気掃除機用吸込具である。
【００１１】
請求項４記載の発明は、前記連動機構は、揺動動作をする振子を含み、前記作用部材は、振子に作用して揺動動作を行わせることを特徴とする、請求項１〜３のいずれかに記載の電気掃除機用吸込具である。
請求項５記載の発明は、前記振子は、前記ロック機構が前記状態検知突起を非突出位置にならないように規制中は、前記作用部材の作用力を吸収する吸収構造を有することを特徴とする、請求項４記載の電気掃除機用吸込具である。
【００１２】
請求項６記載の発明は、前記吸収構造は、前記作用部材が作用する位置に配置された弾性変位体を含むことを特徴とする、請求項５記載の電気掃除機用吸込具である。
請求項７記載の発明は、前記本体は、底面側を形成するケース下部と、上面側を形成するケース上部とを含み、前記振子は、ケース下部およびケース上部によって挟持されて揺動自在に保持されていることを特徴とする、請求項４〜６のいずれかに記載の電気掃除機用吸込具である。
【発明の効果】
【００１３】
請求項１記載の発明によれば、吸込具本体は、主吸込口が被清掃面に対向した基本姿勢と、副吸込口が被清掃面に対向した倒立姿勢とに切り換え可能である。従って、基本姿勢にすると、広い被清掃面を効率良く清掃することができる。また、倒立姿勢にすると、家具と家具との隙間等の狭い被清掃面を清掃することができる。
状態検知突起は、吸込具の本体底面が、被清掃面から離れたときに突出位置に変位するので、本体を基本姿勢にして使用しているときは、従来の吸込具と同様、本体が被清掃面から浮き上がった場合等には、回転ブラシの回転が停止される。
【００１４】
さらに、本体の状態を検知する状態検知突起には、連動機構を介してシャッターの作用部材がリンクされている。このため、本体が倒立姿勢にされて、本体底面が被清掃面から離れても、シャッターが開かれれば、状態検知突起は、非突出位置のままで、回転ブラシの回転が停止されることはない。本体を倒立姿勢にするとシャッターは自動的に開かれるので、隙間清掃を行う際にも、回転ブラシは回転され、隙間清掃が良好に行える。
【００１５】
ところが、本体が倒立姿勢ではなく、単に仰向けにされた場合等には、シャッターが開かれず、状態検知突起が突出位置に変位して、回転ブラシの回転が停止される。そしてこの場合には、ロック機構が働き、仰向きになった本体の底面から突出する状態検知突起を非突出位置にしようとしても、それができなくなる。このように、本体が仰向きでは、回転ブラシは回転せず、安全性の高い構造とすることができる。
【００１６】
請求項２記載の発明では、状態検知突起、連動機構およびロック機構が共通の支軸を備えており、共通の支軸を中心に回動するので、これら三者の連動を確実にかつスムーズに行える。
請求項３記載の発明では、ロック機構が重りとして動作する球体を有しているので、特許文献１に記載のスイッチ構造と同様、簡易な構成で確実に動作するロック機構を実現できる。
【００１７】
請求項４記載の発明では、シャッターの開閉と状態検知突起の位置変位とを、振子を用いて良好にリンクさせることができる。
請求項５記載の発明では、振子が吸収構造を有しているので、ロック機構が規制中において、シャッターが開かれた場合であっても、シャッターが開かれたことによって回転ブラシは回転せず、しかもシャッターの開動作に伴う作用部材の作用力は、振子に無理な力を与えず、振子を含む連動機構を壊したりする心配がない。
【００１８】
請求項６記載の発明では、振子の吸収構造は、弾性変位体、たとえばばねや樹脂等の簡単な構成を利用して実現できる。
請求項７記載の発明では、連動機構に含まれる振子の保持を、本体を構成するケース下部およびケース上部の組み合わせを利用して、簡単に行うことができる。
この発明によれば、吸込具本体を基本姿勢および倒立姿勢に切り換え可能なものにおいて、回転ブラシを必要な場合に確実に回転させることができ、かつ、本体が非清掃状態になったときには、確実に回転ブラシを停止させることができる、使い勝手の良い、しかも安全性の高い吸込具とすることができる。
【発明を実施するための最良の形態】
【００１９】
以下には、図面を参照して、この発明の実施形態について具体的に説明をする。
図１は、この発明の一実施形態に係る電気掃除機用吸込具１の平面図で、一部が断面で示された図である。図２は、吸込具１を床面（被清掃面）から浮かした状態の側面断面図であり、図３は、吸込具１を基本姿勢で使用している状態における側面断面図である。
まず、図１を参照して、吸込具１には、本体２と、本体２の後方に突設されたベンドベース３と、ベンドベース３に連結されたベンド４とが含まれている。ベンドベース３は本体２に対して回動自在に連結されており、ベンド４はベンドベース３に対して紙面に直交方向に揺動自在に連結されている。ベンドベース３を本体２に対して９０°回動させることにより、後述するように、本体２を倒立姿勢にして使用することが可能になる。
【００２０】
本体２内には、回転ブラシ６と、回転ブラシ６を回転するためのモータ７とが内蔵されている。モータ７の回転は、ベルト８などを介して回転ブラシ６へ伝達される。
本体２の前面には、横方向（幅方向）に長手の副吸込口１０が形成されている。副吸込口１０の内部には回転ブラシ６が臨んでいる。本体２には、副吸込口１０を開閉可能に覆うシャッター１１が備えられている。シャッター１１には、その左右両側に、ローラー１２が備えられているとともに、その前縁には、横方向に長手の衝撃吸収凸部１３が備えられている。
【００２１】
シャッター１１には、さらに、作用部材１４が設けられている。作用部材１４の機能については、後述する。
本体２内には、モータ７のオン・オフを切り換えるためのマイクロスイッチ１５と、本体２の状態（本体２の底面が床に接しているか、本体２が浮き上がっているかなど）を検知するための状態検知突起１６と、ロック機構１７と、連動機構１８とが備えられている。状態検知突起１６、ロック機構１７および連動機構１８は、共通の支軸１９を備えていて、この共通の支軸１９を中心に連動して回動する構成になっている。
【００２２】
図１における切断線Ａ−Ａに沿う側面断面図が、図２Ａおよび図３Ａであり、図１における切断線Ｂ−Ｂに沿う側面断面図が、図２Ｂおよび図３Ｂである。図１における切断線Ｃ−Ｃに沿う側面断面図が、図２Ｃおよび図３Ｃであり、図１における切断線Ｄ−Ｄに沿う側面断面図が、図２Ｄおよび図３Ｄである。
次に、図２および図３を参照して、マイクロスイッチ１５、状態検知突起１６、ロック機構１７および連動機構１８の構成を説明する。
【００２３】
吸込具１の本体２には、その底面２０の前方寄りに、主吸込口２１が形成されている。主吸込口２１は、本体２の前面に形成された副吸込口１０とつながっている。図２Ａ〜Ｄに示すように、本体２の底面２０が被清掃面１００から浮き上がった状態では、図２Ａに示すように、状態検知突起１６が底面２０から突出した突出位置に変位する。この変位は、支軸１９を中心に状態検知突起１６が自重で左回りに回動することにより生じる。そして、状態検知突起１６の変位に連動して、図２Ｂに示すように、連動機構１８に含まれているレバー２２が、支軸１９を中心に左回りに回動する。
【００２４】
さらに、図２Ｃに示すように、ロック機構１７は、支軸１９を中心に玉受部材２３が左回りに回動変位する。
また、図２Ｄに示すように、マイクロスイッチ１５のアクチュエータ２４を操作するための操作レバー２５は、支軸１９を中心に左回りに回動変位して、マイクロスイッチ１５はオフ状態となる。
【００２５】
よって、この状態では、モータ７（図１参照）は通電されず、回転ブラシ６の回転が停止される。
このように、この実施形態では、共通の支軸１９を中心に、状態検知突起１６、連動機構１８のレバー２２、ロック機構１７の玉受部材２３およびマイクロスイッチ１５の操作レバー２５が、連動して回動変位する。
【００２６】
吸込具１の本体２を、基本姿勢にした場合、すなわち本体２の底面２０を被清掃面１００に当接させ、主吸込口２１が被清掃面１００に対向した通常の使用状態では、図３Ａに示すように、状態検知突起１６は支軸１９を中心に右回りに回動変位して、本体２の底面２０から突出しない非突出位置になる。
状態検知突起１６の非突出位置への変位に連動して、図３Ｂに示すように、連動機構１８のレバー２２が、支軸１９を中心に右回りに回動する。このとき、レバー２２の回動変位に伴い、連動機構１８に含まれる振子３０が、支軸３１を中心に揺動する。
【００２７】
さらに、図３Ｃに示すように、ロック機構１７の玉受部材２３が、支軸１９を中心に右回りに回動変位する。ロック機構１７に含まれる球２６は、図２Ｃに示すように、玉受部材２３の凹部に入っており、図２Ｃの状態から、図３Ｃの状態に玉受部材２３が変位し得る。
さらに、図３Ｄに示すように、マイクロスイッチ１５を操作する操作レバー２５も、支軸１９を中心に右回りに回動変位し、アクチュエータ２４を押し上げて、マイクロスイッチ１５をオンにする。
【００２８】
よって、モータ７（図１参照）は、通電されて、回転ブラシ６を回転させる。
図４Ａ、Ｂ、Ｃ、Ｄは、それぞれ、図１における切断線Ａ−Ａ、Ｂ−Ｂ、Ｃ−ＣおよびＤ−Ｄに沿う断面図で、吸込具１が倒立姿勢にされた状態の断面図になっている。
ここに、吸込具１が倒立姿勢とは、図４に示すように、シャッター１１が開かれて、副吸込口１０が被清掃面１００に対向された状態をいう。この状態では、ベンドベース３は、図１に示す状態と比べると、本体２に対して９０°回動され、それによって、ベンド４は本体２の幅方向（図１において横方向、図４において紙面に直交方向）に揺動可能になっている。なお、図４に示す吸込具１の状態を、この明細書では、「倒立姿勢」と称しているが、この姿勢を「起立姿勢」と称しても構わない。
【００２９】
吸込具１を倒立姿勢にした場合、シャッター１１は自動的に、開かれた状態となる。シャッター１１には、図１で説明したように、作用部材１４が備えられている。シャッター１１が開かれると、図４Ｂに示すように、作用部材１４が本体２の内部に進入し、連動機構１８に含まれる振子３０を揺動させる。より具体的には、振子３０に備えられている板ばね３２を押す。これにより、振子３０は、支軸３１を中心に、図４において左回りに揺動する。振子３０には、レバー２２がリンクされており、振子３０の揺動に伴って、レバー２２は支軸１９を中心に右回りに回動変位される。レバー２２の回動変位は、支軸１９を介して、状態検知突起１６、ロック機構１７の玉受部材２３およびマイクロスイッチ１５の操作レバー２５を右回りに回動させる。この結果、図４Ａに示すように、状態検知突起１６は本体２の底面２０から突出しない非突出位置になり、図４Ｃに示すように、玉受部材２３は、球２６を凹部に収容したまま回動し、操作レバー２５はアクチュエータ２４を押してマイクロスイッチ１５をオンにする。
【００３０】
よって、吸込具１は、倒立姿勢において、状態検知突起１６は非検知位置で、ロック機構１７は動作せず、モータ７（図１参照）が通電されて、回転ブラシ６が回転される。
このように、連動機構１８に、振子３０を設け、振子３０がレバー２２とリンクする構成にしたことにより、シャッター１１が開くと、シャッター１１に備えられた作用部材１４が振子３０を揺動させ、本体２の底面２０が被清掃面から離れた状態であっても、回転ブラシ６を確実に回転させて、隙間清掃等をスムーズに行わせることができる。また、状態検知突起１６が本体２の底面２０から突出していないので、より狭い隙間に吸込具１を入り込ませて清掃することができる。
【００３１】
図５Ａ、Ｂ、Ｃは、吸込具１を仰向けにひっくり返した状態において、ロック機構１７がどのように作用するかを説明するための図である。
図５Ａに示すように、シャッター１１を開いた状態ではなく、シャッター１１が閉じた状態において、吸込具１が倒立されると、ロック機構１７の玉受部材２３は支軸１９を中心に左回りに回動変位し、凹部に球２６が乗っている（図５Ａ）。
【００３２】
この状態から、吸込具１がさらに倒れて、図５Ｂ、Ｃに示すように、吸込具１の本体２が逆さになって仰向けになると、底面２０が上を向き、主吸込口２１が上方に露出するとともに、主吸込口２１に臨んでいる回転ブラシ６が上面から見える状態となる。この状態で回転ブラシ６が回転していると、ユーザが誤って回転ブラシ６に触れて指を挟まれたり、紙や衣服が回転ブラシ６に容易に触れ、回転ブラシ６に巻き込まれる等の好ましくない状態が生じる。
【００３３】
そこで、ロック機構１７は、この状態では回転ブラシ６が回転されないように規制する。
具体的には、ロック機構１７では、玉受部材２３が右回りに回転変位した状態のままであり、その凹部に乗っている球２６が、図５Ｂおよび図５Ｃに示すように、玉受部材２３から外れる。球２６が玉受部材２３から外れると、外れた球２６に邪魔されて玉受部材２３は支軸１９を中心に右回りに回動変位することができない。
【００３４】
ところで、図５Ｃに示す状態のとき、状態規制突起１６は、図６Ａに示す状態であり、マイクロスイッチ１５は図６Ｂに示す状態である。すなわち、状態検知突起１６は、本体底面２０から突出した突出位置になっており、マイクロスイッチ１５は、操作レバー２４がアクチュエータ２４を押さない回動位置に保たれている。これは、ロック機構１７と、状態検知突起１６と、操作レバー２５とが、共通の支軸１９によりつながっているからである。そして図５Ｃに示すように、玉受部材２３は、球２６によってその回動が阻止されており、支軸１９を中心に右方向に回動することができないから、図６Ａ、Ｂに示すように、状態検知突起１６は突出位置から非突出位置に変位することはできず、マイクロスイッチ２４はオンできない。
【００３５】
このようにして、本体２が仰向けにひっくり返った状態では、主吸込口２１に臨む回転ブラシ６が回転せず、安全確保がされている。
図７は、連動機構１８の構成をより詳しく説明するための図である。図７Ａは、吸込具１の側面断面図であり、図１に示す切断線Ｂ−Ｂに沿った断面図である。図７Ｂは、振子３０の拡大図である。図７Ｃは、本体２のケース上部を取り外した状態の断面図である。      
【００３６】
図７Ｂに示すように、振子３０は、揺動部３３と、揺動部３３の支点である支軸３１と、揺動部３３に取り付けられた板ばね３２とを有している。揺動部３３には係合凹部３４が形成されている。係合凹部３４の入口には外れ防止凸部３５が形成されている。係合凹部３４には、図７Ａに示すように、支軸１９を中心に回動するレバー２２の先端の係合ピン２７が嵌められる。係合ピン２７は、係合凹部３４に嵌められて上下に移動するが、外れ防止突起３５が設けられているので、係合凹部３４から外れることはない。
【００３７】
振子３０の揺動部３３は、支軸３３を中心に揺動自在に保持されている。この実施形態では、本体２のケース下部３６（図７Ｃ参照）および本体２のケース上部３７が組み合わされて本体２が形成されたときに、ケース下部３６およびケース上部３７によって支軸３１が揺動自在に挟持される。このように、振子３０を本体２内に組み込むときに、ケース下部３６およびケース上部３７によって振子３０を挟持する構成にすると、組み立てが容易で、かつ、振子３０を揺動自在に保持することが可能になる。
【００３８】
図８は、振子３０に備えられている板ばね３２の作用を説明するための断面図である。  振子３０には、前述したように、板ばね３２が備えられている。シャッター１１が開いたとき、シャッター１１に備えられた作用部材１４の先端により板ばね３２が押され、これにより、振子３０が支軸３１を中心に回動する。ところで、振子３０にリンクされているレバー２２は、支軸１９を中心に揺動するもので、状態検知突起１６およびロック機構１７と連動して回動する。このため、もしロック機構１７が回動を規制する状態（図５Ｃに示す状態）になっている場合には、レバー２２は回動することができない。このような場合に、仮にシャッター１１が開けられたときには、シャッター１１の作用部材１４が振子３０を揺動させ、無理にレバー２２を回動させようとして、連結機構１８が壊れるおそれがある。
【００３９】
そこで、この実施形態では、振子３０に板ばね３２を設けて、ロック機構が回動を規制中には、シャッター１１が開かれても、作用部材１４による作用力が振子３０で吸収されるように構成されている。これにより、連動機構１８が壊れることはない。
図９は、振子３０に備えられている吸収構造の構成例を示す図である。
図９Ａは、既に説明した板ばね３２を有する振子３０の作用力吸収構造を示している。      
【００４０】
図９Ｂは、作用力吸収構造の他の例である。図９Ｂの構成では、作用力受部４１を中心に回動自在な棒状部材で構成されている。そして作用力受部４１は、コイルばね４３によって常に揺動部３３から遠ざかる方向に弾力付勢されている。
図９Ｃは、さらに他の例である。この例では、作用力受部４１は揺動部３３と一体的に成形された樹脂で構成されている。そして作用力受部４１は、樹脂の弾性力によって、作用力を弾力的に受け止める構成になっている。
【００４１】
この発明は、以上説明した実施形態に限定されるものではなく、請求項記載の範囲内において種々の変更が可能である。
【図面の簡単な説明】
【００４２】
【図１】この発明の一実施形態に係る電気掃除機用吸込具１の平面図で、一部が断面で示された図である。
【図２】吸込具１を床面（被清掃面）から浮かした状態の側面断面図である。
【図３】吸込具１を基本姿勢で使用している状態における側面断面図である。
【図４】吸込具１が倒立姿勢にされた状態の断面図である。
【図５】吸込具１を仰向けにひっくり返す場合において、ロック機構１７の回動変位を示す図である。
【図６】吸込具１が仰向けのときの、状態規制突起１６およびマイクロスイッチ２４の状態を表わす断面図である。
【図７】連動機構１８の構成をより詳しく説明するための図である。
【図８】振子３０に備えられている板ばね３２の作用を説明するための断面図である。
【図９】振子３０に備えられている吸収構造の構成例を示す図である。
【符号の説明】
【００４３】
１    電気掃除機用吸込具
２    本体
６    回転ブラシ
７    モータ
１０    副吸込口
１１    シャッター
１４    作用部材
１５    マイクロスイッチ
１６    状態検知突起
１７    ロック機構
１８    連動機構
１９    支軸
２０    底面
２１    主吸込口
２２    レバー
２３    玉受部材
２５    操作レバー
２６    球
３０    振子
３２    板ばね
３６    ケース下部
３７    ケース上部
４１    作用力受部
【図１】
2007061197.tif 000003
【図２】
2007061197.tif 000004
【図３】
2007061197.tif 000005
【図４】
2007061197.tif 000006
【図５】
2007061197.tif 000007
【図６】
2007061197.tif 000008
【図７】
2007061197.tif 000009
【図８】
2007061197.tif 000010
【図９】
2007061197.tif 000011